(57)【要約】  本発明は、ブレーキシステム（１）に関する。該システムは、内部に流体を保有する内歯環状歯車（３）および内歯環状歯車内に配置しこれと回転可能に係合させた少なくとも１個の遊星歯車（４）を備える。このシステムは、さらに、システム内における流体の流動を制限することで遊星歯車と内歯歯車との間の相対的回転運動を制御する手段（１０）を備える。
2010538227.tif 000002
【特許請求の範囲】
【請求項１】
内部に流体を保有する内歯環状歯車（３）、
前記内歯環状歯車内に配置し且つ回転可能に係合させた、少なくとも１個の遊星歯車（４）
を備えたブレーキシステム（１）であって、さらに、該ブレーキシステムは、
前記内歯環状歯車内に配置することで、内側に少なくとも１個のコンパートメント（１４）を生ずるデバイダ（１２）であって、前記遊星歯車を前記コンパートメント内に配置する、該デバイダ（１２）と、
前記デバイダ内に設けた少なくとも１個のチャネル（８）と、
前記チャネルを経る流体の流動を制限することで、前記遊星歯車と前記内歯環状歯車との間の相対的回転運動を制御する、手段（１０）と
を備えたことを特徴とするブレーキシステム。
【請求項２】
請求項１に記載のブレーキシステムにおいて、
前記コンパートメント内に前記少なくとも１個の遊星歯車（４）を配置することで、前記コンパートメントを少なくとも２個の部分（１１，１３）に分割し、
前記チャネル（８）を第１コンパートメント部分（１１）と第２コンパートメント部分（１３）との間に配置し、
前記流体は、前記チャネル（８）内を流動可能とし、
さらに該ブレーキシステムが、前記チャネル内に配置したバルブ（１０）を備え、前記バルブを閉鎖することで前記チャネルを経る前記流体の流動を制限することができ、これにより前記遊星歯車と前記内歯環状歯車との間の相対的回転運動を制限する構成としたことを特徴とするブレーキシステム。
【請求項３】
ブレーキシステムであって、
内部に流体を保有する内歯環状歯車と、
前記内歯環状歯車内に配置し且つ回転可能に係合させた、少なくとも１個の遊星歯車と、
前記システム内における流体の流動を制限することで、前記遊星歯車と前記内歯環状歯車との間の相対的回転運動を制御する手段と
を備えたことを特徴とするブレーキシステム。
【請求項４】
請求項１または３に記載のブレーキシステムにおいて、前記システム内における前記流体の流動を制限する手段はバルブを備え、前記バルブを閉鎖することで前記システム内における前記流体の流動を制限することができ、これにより前記遊星歯車と前記内歯環状歯車との間の相対的回転運動を制限する構成としたしたことを特徴とするブレーキシステム。
【請求項５】
請求項１〜４のいずれか一項に記載のブレーキシステムにおいて、さらに、１対のカバープレートを備え、前記カバープレートおよび前記内歯環状歯車がともにブレーキシステム用のハウジングをなす構成としたことを特徴とするブレーキシステム。
【請求項６】
請求項３〜５のいずれか一項に記載のブレーキシステムにおいて、さらに、
前記内歯環状歯車内に配置することで、内側に少なくとも１個のコンパートメントを生ずるデバイダと、
前記内歯環状歯車と回転可能に係合させ且つ前記コンパートメント内に配置することで、前記コンパートメントを少なくとも２個の部分に分割する前記少なくとも１個の遊星歯車と、
前記デバイダ内に設けた少なくとも１個のチャネルであって、各チャネルを第１コンパートメント部分と第２コンパートメント部分との間に配置する、該チャネルと
を備え、前記流体は前記チャネル内を流動可能とし、
さらに、前記各チャネル内に配置したバルブを備え、前記バルブを閉鎖することで前記チャネルを経る前記流体の流動を制限することができ、これにより前記遊星歯車と前記内歯環状歯車との間の相対的回転運動を制限する構成としたことを特徴とするブレーキシステム。
【請求項７】
請求項２、４、５または６のいずれか一項に記載のブレーキシステムにおいて、前記バルブを、遊星歯車における両方の側の間、または１対の遊星歯車間に配置したことを特徴とするブレーキシステム。
【請求項８】
請求項５〜７のいずれか一項に記載のブレーキシステムにおいて、１方のカバープレートを前記内歯環状歯車に連結し、且つ、他方のカバープレートを前記デバイダおよび／または前記遊星歯車の中心軸に連結したことを特徴とするブレーキシステム。
【請求項９】
請求項１、２、６、７または８のいずれか一項に記載のブレーキシステムにおいて、前記チャネルを、単独のコンパートメントにおける２個の部分間に配置したことを特徴とするブレーキシステム。
【請求項１０】
請求項１、２、６、７または８のいずれか一項に記載のブレーキシステムにおいて、前記各チャネルを、前記第１コンパートメント部分と前記第２コンパートメント部分との間に配置したことを特徴とするブレーキシステム。
【請求項１１】
請求項１、２、６、７、８または９のいずれか一項に記載のブレーキシステムにおいて、前記遊星歯車を、前記コンパートメントの壁と少なくとも１個のポイントでほぼ同一平面となるよう配置し、これにより前記コンパートメントを少なくとも２個の部分に分割するよう構成したことを特徴とするブレーキシステム。
【請求項１２】
請求項１〜１１のいずれか一項に記載のブレーキシステムにおいて、それぞれ前記内歯歯車歯車内に配置し回転可能に係合させた複数の遊星歯車、および対応する複数のチャネルを備えたことを特徴とするブレーキシステム。
【請求項１３】
請求項１０に記載のブレーキシステムにおいて、各チャネルを１対の遊星歯車間に配置したことを特徴とするブレーキシステム。
【請求項１４】
請求項１〜１３のいずれか一項に記載のブレーキシステムにおいて、さらに、前記流体を流出または流入させることで前記ハウジング内の流体圧を制御するための、または回生ブレーキに用いるための手段を備えたことを特徴とするブレーキシステム。
【請求項１５】
請求項１〜１４のいずれか一項に記載のブレーキシステムにおいて、さらに、制動力を前記内歯環状歯車または前記カバープレートの一方に直接加えるよう、第２ブレーキシステムを備えたことを特徴とするブレーキシステム。
【請求項１６】
軸であって、請求項１〜１５のいずれか一項に記載のブレーキシステムを備えたことを特徴とする軸。
【請求項１７】
ブレーキシステムであって、図２、図３および４、図５および６、図７、図８または図９につき説明した記載、および／または図２、図３および４、図５および６、図７、図８または図９に示したブレーキシステム。
【発明の詳細な説明】
【技術分野】
【０００１】
本発明は、ブレーキシステム、とくに流体抵抗ブレーキシステムに関する。
【背景技術】
【０００２】
ブレーキシステムは、自動車および様々なタイプの機械を含む、幅広い技術分野において使用される。摩擦ブレーキ、例えばドラムブレーキまたはディスクブレーキは、一般的に車両および機械における回転する軸を減速および停止するのに用いる。しかし、摩擦ブレーキに関連するいくつかの不都合が存在する。特別な不都合としては、接触することにより摩擦力で軸の回転運動を減速させる、ブレーキパッド、ブレーキシューおよびブレーキディスクにおける摩耗である。他の不都合は、摩擦による熱の発生およびこの熱を除去して変形を回避する必要性があることである。
【０００３】
いくつかの他タイプのブレーキシステムも既知である。摩擦力に依存しないブレーキシステムの１つのタイプは、流体抵抗ブレーキである。このタイプのブレーキは、１つまたはそれ以上の歯車ポンプに基づいている。添付図面の図１において、単純な歯車ポンプを示す。この歯車ポンプは、ハウジング１０１内に配置した駆動歯車１０２および遊び歯車１０４を備える。軸１０３が駆動歯車１０２を回転することで、歯車１０４が回転する。歯車１０２、歯車１０４が回転するとき、ポンプ１００の流入側１０５において歯車は互いに離れる。これにより、流入側１０５に低圧の領域を生じ、流体がポンプに流入する。歯車１０２、歯車１０４（における小体積部１０７）は、流体を流出側１０６に運搬し、ここにおいて歯車の交合により流体が移動する。一般的に、歯車ポンプにおける機械的クリアランスは小さく、流体の逆方向への漏出を防止する。
【０００４】
流体抵抗ブレーキは、歯車ポンプの基本原理を使用しているが、バルブを通して互いに接続した流入口および流出口を有する。バルブを開く間、軸は自由に回転可能であり、システム周囲に流体を供給する。一度バルブが閉じると、流体圧が上昇し、歯車の回転およびこれによる軸の回転も抑制する。
【０００５】
これらの非摩擦動作により、流体抵抗ブレーキは、とくに、磨耗したブレーキパッドの交換の維持費が高額である用途や、強力且つ恒常的な磨耗によりブレーキパッドの作動に費用がかかり過ぎる用途（採掘トラックのような大きなサイズの車両）に適している。また、非摩擦動作は、熱発生または材料の歪みが問題となるような用途（例えば、マイクロブレーキの用途または爆発性環境）にも使用される。流体抵抗ブレーキは、また、ブレーキ中に発生した過剰なエネルギーを蓄積し代替作業に再使用する回生制動用途（例えば、路面電車および次世代フォーミュラ・ワン・カーに用いられる回生制動ブレーキシステムといったもの）にも適する。
【０００６】
このタイプのブレーキの例が、特許文献１（米国特許第５，５５８，１８７号）に記載されている。この装置は、内部に軸回転係合歯車を配置した流体密封ハウジングを備え、この軸回転係合歯車は、軸と回転可能に係合した外部アクセス可能な部分を有する。ハウジングにより複数のコンパートメントを形成し、コンパートメントは開閉可能なバルブを介して互いに流体連通する。ハウジングはほぼ流体で充満させ、この流体をバルブの開度に直接関連してバルブを経て流動することができる。装置は、さらに、複数のコンパートメントデバイダ歯車を備え、このコンパートメントデバイダ歯車は軸回転歯車と回転可能に係合し、且つ、コンパートメント壁と連携してコンパートメント間の制限封止を実現するよう配置する。バルブを閉鎖するとき、コンパートメント間における流体の流動は緩慢になり、流体圧は上昇する。上昇した流体圧は、回転係合歯車と係合している回転する軸を減速させ、同時に流体圧を下降させる。
【先行技術文献】
【特許文献】
【０００７】
【特許文献１】米国特許第５，５５８，１８７号明細書
【発明の概要】
【発明が解決しようとする課題】
【０００８】
このシステムの不都合は、ブレーキは常に軸よりも直径が実質的に大きく、構成要素に関する付加的な必要スペースおよび追加費用が発生する。
【０００９】
このタイプの既知のブレーキを上回るよう改良した性能を提供する流体抵抗ブレーキを設けることが望まれる。
【課題を解決するための手段】
【００１０】
本発明の態様によれば、
内部に流体を保有する内歯環状歯車、および
内歯環状歯車内に配置し且つ回転可能に係合させた、少なくとも１個の遊星歯車
を備えたブレーキシステムを提供し、このブレーキシステムは、
内歯環状歯車内に配置することで、内側に少なくとも１個のコンパートメントを生ずるデバイダであって、遊星歯車をコンパートメント内に配置する、該デバイダと、
デバイダ内に設けた少なくとも１個のチャネルと、
チャネルを経る流体の流動を制限することで、遊星歯車と内歯環状歯車との間の相対的回転運動を制御する手段と
を備えたことを特徴とする。
【００１１】
１つの実施形態において、コンパートメント内に少なくとも１個の遊星歯車を配置することで、コンパートメントを少なくとも２個の部分に分割する。各チャネルを第１コンパートメント部分と第２コンパートメント部分との間に配置し、流体はチャネル内を流動することができる。このシステムは、さらに、１本のまたは各チャネル内に配置したバルブを備え、バルブを閉鎖することでチャネルを内の流体の流動を制限することができ、これにより遊星歯車と内歯歯車との間の相対的回転運動を制限する。
【００１２】
本発明の態様によれば、
内部に流体を保有する内歯環状歯車と、
内歯環状歯車内に配置し且つ回転可能に係合させた、少なくとも１個の遊星歯車と、
システム内における流体の流動を制限することで、遊星歯車と内歯環状歯車との間の相対的回転運動を制御する手段と
を備えたブレーキシステムを提供する。
【００１３】
システム内における流体の流動を制限および制御するよう手段はバルブを備え、バルブを閉鎖することでシステム内における流体の流動を制限することができ、これにより遊星歯車と内歯歯車との間の相対的回転運動を制限する。
【００１４】
バルブは、遊星歯車の両側の間または１対の遊星歯車間に配置することができる。
【００１５】
システムは、さらに、内歯環状歯車内に配置することで、内側に少なくとも１個のコンパートメントを生ずるデバイダを備える。遊星歯車をコンパートメント内に配置することで、コンパートメントを少なくとも２個の部分に分割することができる。デバイダ内に少なくとも１個のチャネルを設けることができ、各チャネルを第１コンパートメント部分と第２コンパートメント部分との間に配置する。流体は、チャネル内を流動可能とする。バルブを各チャネル内に配置することができ、バルブを閉鎖することでシステム内における流体の流動を制限することができ、これにより遊星歯車と内歯環状歯車との間の相対的回転運動を制限する。
【００１６】
ブレーキシステムは、１対のカバープレートを備え、遊星歯車と共にブレーキシステムにハウジングを生ずる。好適には、ハウジングは流体密とする。１方のプレートを内歯環状歯車に連結し、且つ、他方のプレートをデバイダおよび／または各遊星歯車の中心軸に連結することができる。したがって、各遊星歯車の中心軸は、デバイダに対して固定することができる。代案として、遊星歯車は、ブレーキを加える素子に直接連結するよう、プレートの一方に貫通させることができる。双方のカバープレートは、互いに相対回転可能にすることができる。
【００１７】
各遊星歯車を、コンパートメントの壁と少なくとも１個のポイントでほぼ同一平面となるよう配置し、これによりコンパートメントを少なくとも２個の部分に分割することができる。
【００１８】
各チャネルを、単独のコンパートメントにおける２個の部分間、または異なるコンパートメントにおける２個の部分間に配置することができる。
【００１９】
ブレーキシステムにおいて複数の遊星歯車を有することができ、各遊星歯車は対応するコンパートメント内に配置し、且つ、内歯環状歯車に回転可能に係合させる。システムは、対応する複数のチャネルを備えることができる。１つの実施形態において、各チャネルを１対の遊星歯車間に配置する。チャネルを互いに連結することで、必要なバルブ数を減らすことができる。遊星歯車の数およびこれら遊星歯車のサイズは、ある作動パラメータのセット（トルク、サイズ、所望の歯車比、等）用のブレーキシステムに必要な性能に最適化するよう選択することができる。
【００２０】
ブレーキシステムを用いて、軸、車輪、またはコンベアベルトといった、内歯環状歯車に取り付ける第１回転可能素子と、壁、車両シャーシ、または他の固定物体といった、デバイダに取り付ける第２固定素子との間に、制動力を付与することができる。システム内における流体の流動を制限することで遊星歯車と内歯環状歯車との間の相対的回転運動を制限することにより、回転可能素子の制動を生ずる。配置を逆転することも可能であり、内歯環状歯車を固定素子に取り付け、デバイダを回転可能素子に連結する。
【００２１】
ブレーキシステムを使用して、２個の回転可能素子、例えば２個の軸間に力を加えることもできる。この構成において、システム内における流体の流動を制限することで遊星歯車と内歯環状歯車との間の相対的回転運動を制限することにより、互いに関連する回転可能素子の回転を制限することで、これらの間の駆動係合を生ずる。ブレーキシステムは、このように２個の回転可能素子間の相対的制動を生ずる。例えば、第１軸を駆動手段によって回転駆動し、第２軸を本発明のブレーキシステムにより第１軸に連結する。ブレーキシステム内における流体の流動を制限することで、第１軸と第２軸との間の相対的回転運動を制限し、第２軸の回転を生ずる。
【００２２】
上述のように、本発明のブレーキシステムは、２個の素子間の相対的回転運動を制御、阻止または制限するシステムとする。このシステムを、回転ロック機構、回転連結装置または回転阻止装置の代替として説明することができる。このシステムを用いることで、回転運動を停止する（回転素子と固定素子との間の相対的回転運動を妨げることによる）、また回転運動を生ずる（被駆動素子と駆動可能素子との間の相対的回転運動を妨げることによる）ことができる。このブレーキシステムを回転可能軸、例えば駆動軸、に組み込むことができる。
【００２３】
本発明の構成には、既知の流体抵抗ブレーキシステムに勝るいくつかの利点が存在する。所定サイズのブレーキに対し、本発明は、特許文献１に記載の「外部」ブレーキシステムに比較して高い制動トルクを生じ、それゆえ急速に停止する。このため、本発明は、必要なレベルのトルクを得るのに少ないスペースと低コストしか必要としない。さらに、遊星歯車を内歯環状歯車内に配置するため、ブレーキシステムを軸の内部に設けることができる。
【００２４】
さらに、遊星歯車を被駆動内歯環状歯車内に配置するため、システムの全体を外側歯車内に包囲することができる。このことは、補助的な摩擦ブレーキシステムを本発明の流体抵抗ブレーキシステムと同じ位置ではあるが、流体抵抗ブレーキシステムの外部に使用することができる。
【００２５】
一実施形態において、回転可能軸、車輪またはコンベアベルトといった第１素子を内歯環状歯車に連結する。好適には、カバープレートを内歯環状歯車に取り付け、また第１素子をカバープレートに取り付ける。第２（固定）素子は、デバイダに連結する。好適には、カバープレートをデバイダに取り付け、第２素子をカバープレートに取り付ける。システム内における流体の流動を制限することで、第２素子に対する第１素子の制動をもたらす。第１素子を内歯環状歯車（またはカバープレート）に直接連結し、または少なくとも１個の他の歯車を介して連結することで、所望の回転比またはトルクを生ずることができる。
【００２６】
例えば、このシステムは、デバイダの単独コンパートメント内に配置した１個の遊星歯車を備えることができ、コンパートメントを２個の部分に分割する。デバイダ内の単独のチャネルは、２個のコンパートメント部分を連結する。バックカバープレートを遊星歯車の中心軸に連結し、これにより遊星歯車はこの中心軸上で自由に回転することができる。バックプレートは、さらにデバイダおよび静止素子、例えば壁にも連結する。フロントカバープレートを内歯環状歯車に連結し、回転可能軸をフロントカバープレートに連結する。軸が回転するときフロントプレートおよび内歯環状歯車も回転し、内歯環状歯車が係合していることで遊星歯車が順に回転を始める。チャネル内のバルブを閉鎖すると、チャネル内における流体の流動が制限されることにより、遊星歯車と内歯環状歯車との間の相対運動を制限し、軸の制動を生ずる。
【００２７】
他の構成において、好適にはカバープレートに対するアタッチメントによって、第１素子をデバイダに連結する。第１素子をデバイダ（またはカバープレート）に直接連結する、または少なくとも１個の歯車を介して連結することで、所望の回転比またはトルクを生ずることができる。
【００２８】
他の構成において、好適にはカバープレートに対するアタッチメントにより、第１素子を遊星歯車に連結する。第１素子を遊星歯車（またはカバープレート）に直接連結する、または少なくとも１個の歯車を介して連結することで、所望の回転比またはトルクを生ずることができる。
【００２９】
ブレーキシステムを用いて２個の軸を一緒に連結することもできる。第１軸を内歯環状歯車に連結する。好適には、カバープレートを内歯環状歯車に取り付け、第１軸をカバープレートに取り付ける。第２軸をデバイダに連結する。好適には、カバープレートをデバイダに取り付け、第２軸をカバープレートに取り付ける。例えば、バルブを閉鎖することでシステム内における流体の流動が制限され、第１軸と第２軸との間に駆動係合を生ずる。流体がシステム内を自由に流動することができる場合、遊星歯車が回転できることで第１軸および第２軸が互いに相対回転することができる。
【００３０】
本発明の様々な実施形態によれば、固定素子または回転可能素子を遊星歯車または歯車に連結することができる。遊星歯車を素子に直接連結することができ、また遊星歯車の中心軸をカバープレートに取り付け、このカバープレートを素子に取り付けることができる。デバイダおよび遊星歯車を同一素子に連結することができる。
【００３１】
ブレーキシステム内に閉じ込める流体は、好適にはほぼ非圧縮性の液圧流体とする。好適には、流体は、蒸発することなく高圧および高温に耐えることができるものとする。流体は、オイルとすることができる。
【００３２】
ブレーキシステムは、さらに、流体を流出または流入させることでハウジング内の流体圧を制御する、または回生制動に用いる手段を備えることができる。
【００３３】
本発明の他の態様によれば、上述のようなブレーキシステムを備える軸を設ける。
【図面の簡単な説明】
【００３４】
【図１】単純な歯車ポンプの正面図である。
【図２】１個の遊星歯車を有する本発明ブレーキシステムの実施形態の正面図である。
【図３】２個の遊星歯車を有する本発明ブレーキシステムの第２実施形態の正面図である。
【図４】図３に示す実施形態の斜視図である。
【図５】本発明ブレーキシステムの第３実施形態の正面図である。
【図６】図５に示す実施形態の斜視図である。
【図７ａ】第１軸に連結した、本発明によるブレーキシステムの内歯環状歯車およびフロントプレートの斜視図である。
【図７ｂ】第２軸に連結した、図７ａに示すブレーキシステムのデバイダ、遊星歯車およびバックプレートの斜視図である。
【図７ｃ】図７ａおよび７ｂに示すブレーキシステムの断面図である。
【図８ａ】軸に連結した、本発明によるブレーキシステムの内歯環状歯車およびフロントプレートの斜視図である。
【図８ｂ】図８ａに示すブレーキシステムのデバイダ、遊星歯車およびバックプレートの斜視図である。
【図８ｃ】図８ａおよび８ｂに示すブレーキシステムの断面図である。
【図９ａ】ベルトに連結した、本発明によるブレーキシステムの内歯環状歯車およびフロントプレートの斜視図である。
【図９ｂ】図９ａに示すブレーキシステムのデバイダ、遊星歯車およびバックプレートの斜視図である。
【図９ｃ】図９ａおよび図９ｂに示すブレーキシステムの断面図である。
【発明を実施するための形態】
【００３５】
図２は、本発明によるブレーキシステム１の実施形態を示す。ブレーキシステムは、フロントプレート（図示せず）に連結した内歯環状歯車３を備える。システムは、さらに、内歯環状歯車３内に配置したデバイダ１２を備え、内部コンパートメント１４を生ずる。デバイダ１２をバックプレート（図示せず）に連結する。フロントおよびバックプレートは、内歯環状歯車と共にブレーキシステム用のハウジングを形成する。このシステムは、さらに、遊星歯車４を備え、この遊星歯車４は、互いに噛合する歯６，７によって内歯環状歯車３と回転可能に係合し、またコンパートメント１４内に配置することでコンパートメントを２個の部分１１，１３に分割する。さらに、遊星歯車の中心軸もバックプレートに連結する。
【００３６】
また、ブレーキシステムは、デバイダ１２内に形成したチャネル８を備える。チャネル８をコンパートメント１４における２つの部分１１，１３の間に配置する。流体をハウジング内に設ける。流体は、チャネル８内を流動可能である。ブレーキシステム１は、さらに、チャネル８内に配置したバルブ１０を備え、ここにおいてバルブ１０を閉鎖することでチャネル内の流体の流動を制限することができる。
【００３７】
バルブ１０を開放すると、遊星歯車４が歯６，７を介して内歯環状歯車に係合しているため、（直接、または軸、車輪、ベルト等に連結することで）内歯環状歯車３が時計回りに駆動されるとき、遊星歯車２も時計回りに回転する。システムは、高い流体圧の区域を遊星歯車４の一方の側におけるコンパートメント１４の部分１１に発生させ、低い流体圧の区域を遊星歯車４の他方の側におけるコンパートメント１４の部分１３に発生させることで、歯車ポンプとして効果的に作用する。この圧差により、チャネル８内の流体は、高圧区域１１から低圧区域１３に移動する。したがって、流体は、内歯環状歯車３が回転する度にハウジング内を連続的に循環する。
【００３８】
内歯環状歯車（したがって、内歯環状歯車に連結した軸、プーリ、車輪またはベルト）を停止または減速したいとき、バルブ１０を閉鎖する。バルブは、所望の制動の程度に応じて完全にまたは部分的に閉鎖することができる。バルブを閉鎖することで、チャネル内の流体の流動を停止（または制限）する。したがって、区域１１の流体圧は上昇する。この圧の上昇は、遊星歯車４の回転を停止（または制限）し、次に内歯環状歯車３の回転を停止（または制限）するので、内歯環状歯車に連結した軸または他の素子が停止（または緩速）する。
【００３９】
図３および図４は、本発明によるブレーキシステム１の第２実施形態である。ブレーキシステムは内歯環状歯車３を備え、ブレーキシステムハウジングの一部を形成する。内歯環状歯車を第１軸２ａに連結する。システムは、さらに、内歯環状歯車３内に配置したデバイダ１２を備え、２個の内部コンパートメント１４ａ，１４ｂを生ずる。デバイダ１２を第２軸２ｂに連結する。システム１は、さらに、各コンパートメント１４ａ，１４ｂそれぞれ配置した２個の遊星歯車４ａ，４ｂを備える。遊星歯車４ａ，４ｂは、互いに噛合する歯６，７を介して内歯環状歯車と回転可能に係合する。遊星歯車は、軸上で自由に回転する。遊星歯車のデバイダおよび中心軸は、例えばカバープレート（図示せず）によって、リンクされる。
【００４０】
ブレーキシステムは、さらに、デバイダ１２内に形成した２つのチャネル８ａ，８ｂを有する。各チャネル８ａ，８ｂを２個のコンパートメント１４ａ，１４ｂ間に配置する。流体はハウジング内に設ける。流体は、チャネル８内を流動することができる。ブレーキシステム１は、さらに、チャネル内に配置したバルブ１０ａ，１０ｂを備え、バルブ１０を閉鎖することで各チャネル内における流体の流動を制限することができる。
【００４１】
バルブ１０を開放した状況下で、回転可能軸２ａが時計回りに駆動されるとき、内歯環状歯車も時計回りに回転する。軸２ｂを固定状態の保持した場合、歯６，７を介して内歯環状歯車と係合しているため、さらに遊星歯車４も軸上を時計回りに回転する。システムは、高い流体圧の高圧区域１１ａ，１１ｂが各遊星歯車４ａ，４ｂの片側に発生するよう１対の歯車ポンプとして効果的に作用し、高圧区域１１ａ，１１ｂから低圧区域１３ａ，１３ｂにチャネル８ａ，８ｂ内の流体を移動させる。したがって、流体は、軸２ａが回転する度にハウジング内を連続的に循環する。
【００４２】
軸２ａを停止または減速したいとき、バルブ１０を閉鎖する。バルブは、所望の制動の程度に応じて完全にまたは部分的に閉鎖することができる。バルブを閉鎖することで、チャネル内における流体の流動を停止（または制限）する。したがって、区域１１ａおよび１１ｂの流体圧は上昇する。この圧の上昇により、遊星歯車４の回転は停止（または制限）し、次に内歯環状歯車３の回転が停止（または制限）するので、取り付けた軸２ａの回転の停止（または減速）を生ずる。
【００４３】
図５および図６は、ブレーキシステム１の第３実施形態を示す。ブレーキシステムは、内歯環状歯車３を備える。内歯環状歯車は、ブレーキシステム用のハウジングの一部を形成する。システム１は、さらに、内歯環状歯車３内に配置した３個の被駆動遊星歯車４ａ，４ｂ，４ｃを備える。遊星歯車４ａ，４ｂ，４ｃは、互いに噛合する歯６，７を介して内歯環状歯車と回転可能に係合する。システムは、さらに、内歯環状歯車３内に配置したデバイダ１２を備え、各遊星歯車４ａ，４ｂ，４ｃのための内部コンパートメント１４ａ，１４ｂ，１４ｃを生ずる。各遊星歯車４をコンパートメント１４内に配置し、それぞれコンパートメントを２個の部分１１ａ，ｂ，ｃ；１３ａ，ｂ，ｃに分割する。遊星歯車４は、軸上で自由に回転する。デバイダは、例えばカバープレート（図示せず）によって遊星歯車の軸に連結する。回転可能軸、プーリまたはベルトといった１つまたはそれ以上の素子を、フロントおよびバックカバープレートを用いて、例えば内歯環状歯車、デバイダ、または遊星歯車に連結することができ、ブレーキシステムのハウジングの一部を形成する。
【００４４】
また、ブレーキシステムは、デバイダ１２内に形成した３つのチャネル８ａ，８ｂ，８ｃも有する。図３および図４に示した実施形態と同様、各チャネル８ａ，８ｂ，８ｃを一組の遊星歯車４ａ，４ｂ，４ｃ間に配置する。流体をハウジング内に設ける。流体は、チャネル８内を流動することができる。ブレーキシステム１は、さらに、各チャネル内に配置したバルブ１０ａ，１０ｂ，１０ｃを備え、バルブ１０を閉鎖することでそれぞれのチャネル内における流体の流動を制限することができる。
【００４５】
図５および図６に示したブレーキシステムの動作は、回転可能軸を内歯環状歯車３、デバイダ１２または遊星歯車４のいずれに連結するかに基づいて、図２、または図３および図４につき説明のものとほぼ同様である。
【００４６】
図７は、本発明のブレーキシステムにおける他の構成を示し、このブレーキシステムを使用して、２個の軸２ａ，２ｂを連結する。図７ａおよび図７ｂに示すように、第１軸２ａをブレーキシステムのフロントプレート１５に連結し、また内歯環状歯車３に連結する。第２軸２ｂをバックプレート１６に連結し、またデバイダ１２に連結する。遊星歯車４ａ，４ｂの中心軸もバックプレート１６に接続する。ブレーキシステムは、上述の他の図面につき説明のように動作する。バルブ１０を閉鎖して遊星歯車４ａ，４ｂと内歯環状歯車３との間の相対的回転運動を制限することで、第１軸２ａと第２軸２ｂとの間に駆動係合が生じる。バルブ１０を開放すると、遊星歯車４が回転することができるため、第１および第２軸２ａ，２ｂは互いに回転することができる。このシステムのタイプを用いて、被駆動軸を駆動可能軸に連結することができる。例えば、駆動装置が軸２ａを回転可能に駆動した場合、バルブ１０を閉鎖することで軸２ａと軸２ｂとの間の相対的回転運動を制限するため、軸２ｂが軸２ａと回転することとなる。また、このシステムのタイプは、可変トルク伝達システムまたは安全な離脱システムとしても用いることができる。
【００４７】
図８において他の構成を示す。この構成は、軸の代わりにバックプレート１６を壁５のような固定物体に連結すること以外は、図７に示したものに類似する。この構成において、バルブを閉鎖して遊星歯車４と内歯環状歯車３との間の相対的回転運動を制限すると、軸２に制動が生じる。バルブを開放すると、遊星歯車が回転することができ、さらに軸も自由に回転することができる。このようなシステムを用いて可変制動を軸にもたらすことができる。
【００４８】
図９において他の構成を示す。この構成は、軸の代わりにベルト２が内歯環状歯車を駆動すること以外は、図８に示したものに類似する。システムの動作は、これ以外は図８に記載のものと同様である。
【００４９】
本明細書における用語「備える（comprises / comprising）」および「有する（having / including）」を本発明につき用いる場合、状態、特徴、個数、ステップ、構成要素の存在を明示するよう用いるのであって、１つまたはそれ以上の他の特徴、個数、段階、構成要素またはこれらの集合の存在または追加を除外するものではない。
【００５０】
本発明の所定特徴を個々の実施形態の文脈において明確に記載しており、また単一の実施形態において組み合わせて供給することも可能であることを認識されたい。逆に、本発明は様々な特徴を単一の実施形態の文脈において簡潔に記載しており、別個にまたは適切に補助的に組み合わせて設けることも可能である。
【図１】
2010538227.tif 000003
【図２】
2010538227.tif 000004
【図３】
2010538227.tif 000005
【図４】
2010538227.tif 000006
【図５】
2010538227.tif 000007
【図６】
2010538227.tif 000008
【図７ａ】
2010538227.tif 000009
【図７ｂ】
2010538227.tif 000010
【図７ｃ】
2010538227.tif 000011
【図８ａ】
2010538227.tif 000012
【図８ｂ】
2010538227.tif 000013
【図８ｃ】
2010538227.tif 000014
【図９ａ】
2010538227.tif 000015
【図９ｂ】
2010538227.tif 000016
【図９ｃ】
2010538227.tif 000017
【国際調査報告】
2010538227.tif 000018
2010538227.tif 000019
2010538227.tif 000020